(57)【要約】【課題】  すぐに汚れてしまうキッチン用洗浄スポンジを取替えシートを巻くことにより、常に清潔に保つことを目的とする。【解決手段】  汚れ落とし取替えシートをスポンジ台に巻きつけて使用し、これにより食べかすや汚れが直接スポンジに付かないので、汚れたら新しく取替え、常に衛生的な洗浄スポンジで台所仕事が出来ることを特徴とする汚れ落とし取替えシート付洗浄スポンジ。【選択図】図１
2017012710.tif 000002
【特許請求の範囲】
【請求項１】
主としてキッチンで使用する洗浄用スポンジ台と不織布を用いた汚れ落とし取替えシートから成り、スポンジ台の形状は問わないが、説明の必要上、直方体型のスポンジ台を、幅広面を上下になるように平面置きした状態を想定し、長手上面の中央域に取替えシート挟持補強板を設け、取替えシート挟持補強板の長手方向中心線に沿ってスポンジ台もろとも、深さ約１０ｍｍ〜１５ｍｍの波形スリットを形設して、取替えシート長手挟持部と成し、取替えシート長手挟持部の両端に、取替えシート長手挟持部と直行する形で、同様の深さで短い波型スリットを形設して、取替えシート短手挟持部と成し、これとは別に、薄手の不織布を、スポンジ台の長手面を余裕をもって一周回巻く事ができ、且つ、短手側面両側に、余裕をもってはみ出す程のサイズで用意して、汚れ落とし取替えシートと成し、この汚れ落とし取替えシートをスポンジ台に巻回して、取替えシート長手挟持部及び取替えシート短手挟持部に差し挟み留めて使用する事を特徴とする汚れ落とし取替えシート付洗浄スポンジ。
【請求項２】
取替えシート挟持補強板は、スポンジ台上面だけでなく、側面に１箇所若しくは複数箇所設けることを特徴とする請求項１における汚れ落とし取替えシート付洗浄スポンジ。
【請求項３】
取替えシート補強板に替えて、面ファスナーの様な・不織布がくっつき易い性質を持った素材で形設されることを特徴とする請求項１における汚れ落とし取替えシート付洗浄スポンジ。
【発明の詳細な説明】
【技術分野】
【０００１】  この発明は、キッチン用洗浄スポンジに関するものである。
【技術背景】
【０００２】  キッチン用洗浄スポンジはすぐに汚れてしまう。消費者はそれを使い続ける事に対して、心のどこかで、汚れたもので洗い物をするという違和感と気持ち悪さを感じているが、なかなか取り替えることをしない。
【発明の概要】
【発明が解決しようとする課題】
【０００３】  従来のキッチン用洗浄スポンジは、油汚れやソースなどに使用するとすぐに汚れてしまい、時間の経過にともない菌が繁殖する。しかし、なかなか新品に取替えることはしない。それというのも、スポンジの形が崩れないうちに取替えることは贅沢に思え罪悪感を感じるからである。また、大量に購入したりストックしておくことは面倒且つ無駄なことでもある。
本発明は以上の様な問題点を解決するためになされたものである。
【課題を解決するための手段】
【０００４】  主としてキッチンで使用する洗浄用スポンジ台と不織布を用いた汚れ落とし取替えシートから成る。スポンジ台の形状は問わないが、説明の必要上、直方体型のスポンジ台を、幅広面を上下になるように平面置きした状態を想定する。長手上面の中央域に取替えシート挟持補強板を設け、取替えシート挟持補強板の長手方向中心線に沿ってスポンジ台もろとも、深さ約１０ｍｍ〜１５ｍｍの波形スリットを形設して、取替えシート長手挟持部と成し、取替えシート長手挟持部の両端に、取替えシート長手挟持部と直行する形で、同様の深さで短い波型スリットを形設して、取替えシート短手挟持部と成す。これとは別に、薄手の不織布を、スポンジ台の長手面を余裕をもって一周回巻く事ができ、且つ、短手側面両側に、余裕をもってはみ出す程のサイズで用意して、汚れ落とし取替えシートと成す。この汚れ落とし取替えシートをスポンジ台に巻回して、取替えシート長手挟持部及び取替えシート短手挟持部に差し挟み留めて使用する。
以上を特徴とする汚れ落とし取替えシート付洗浄スポンジである。
【発明の効果】
【０００５】  スポンジに巻きつける取替えシートはウエットティッシュに使用されているような不織布で、その性質は水に強く、洗剤を定着させ、きめの細かさは、液体以外のものをスポンジまで通すことはなく、取替えシートスポンジが汚れにくい。使用後は、取替えシートだけ取外して付着した食べかす等と一緒に廃棄し、新しい取替えシートと取替えることが出来るので、いつも気持ちの良い、衛生的な洗浄スポンジで洗い物作業が出来る。
【図面の簡単な説明】
【０００６】
【図１】本発明の斜視図
【図２】本発明の実施例において、側面に挟持補強版を複数箇所設けた形を示す斜視図
【図３】本発明の別の実施例において、補強板に替えて面ファスナーにした形を示す斜視図
【図４】図１に取替えシートを装着した状態における本発明のイメージ斜視図
【図５】図３に取替えシートを装着した状態における本発明のイメージ斜視図
【発明を実施するための形態】
【０００７】  以下、本発明を実施するための形態について説明する。
主としてキッチンで使用する洗浄用スポンジ台（１）と不織布を用いた汚れ落とし取替えシート（２）から成る。スポンジ台（１）の形状は問わないが、説明の必要上、直方体型のスポンジ台（１）を、幅広面を上下になるように平面置きした状態を想定する。長手上面の中央域に取替えシート挟持補強板（３）を設け、取替えシート挟持補強板（３）の長手方向中心線に沿ってスポンジ台（１）もろとも、深さ約１０ｍｍ〜１５ｍｍの波形スリットを形設して、取替えシート長手挟持部（４）と成し、取替えシート長手挟持部（４）の両端に、取替えシート長手挟持部（４）と直行する形で、同様の深さで短い波型スリットを形設して、取替えシート短手挟持部（５）と成す。これとは別に、薄手の不織布を、スポンジ台（１）の長手面を余裕をもって一周回巻く事ができ、且つ、短手側面両側に、余裕をもってはみ出す程のサイズで用意して、汚れ落とし取替えシート（２）と成す。この汚れ落とし取替えシート（２）をスポンジ台（１）に巻回して、取替えシート長手挟持部（４）及び取替えシート短手挟持部（５）に差し挟み留めて使用する。尚、取替えシート挟持補強板（３）は、スポンジ台（１）上面でなく、側面に１箇所もしくは複数箇所設けてもほぼ同様の効果が得られるが、使用回数が重んでいく中で、スポンジ台（１）そのものの劣化の進行がより早くなるだけの事である。又、取替えシート挟持補強板（３）に関しては、面ファスナー（６）の様な・不織布がくっつき易い性質を持った素材で形設されても、効果においては何ら変わりない。
本発明は、以上の様な構成であり、以下これを実際に使用する場合の形態を説明する。スポンジ台（１）に取替えシート（２）を巻回して、そこに洗剤をつけて食器等を洗浄する。取替えシート（２）が汚れたら使い捨て、新しいものに取替える。スポンジ全体を包み込むことで、スポンジ自体が汚れることはなく、いつもきれいで清潔である。
【符号の説明】
【０００８】１  スポンジ台
２  取替えシート
３  取替えシート挟持補強板
４  取替えシート長手挟持部
５  取替えシート短手挟持部
６  面ファスナー
【図１】
2017012710.tif 000003
【図２】
2017012710.tif 000004
【図３】
2017012710.tif 000005
【図４】
2017012710.tif 000006
【図５】
2017012710.tif 000007